(57)【特許請求の範囲】
【請求項１】
カセットと、前記カセットを着脱可能な装置本体と、を備える輸液装置であって、
前記カセットは、
ハウジングと、
前記ハウジングに収容され、回動可能なロータと、
一部が前記ロータの外周に配置され、前記ロータにより押圧される輸液チューブと、
前記ハウジングに配置され、前記輸液チューブの内径を識別するための識別部と、を備え、
前記装置本体は、
前記カセットが装着された場合に、前記識別部の配置を検出する検出部と、
前記識別部の配置と該識別部の配置を有するカセットにより供給可能な輸液の流量の範囲とを対応付けて記憶する記憶部と、
前記検出部により検出された識別部の配置に基いて、前記記憶部から該識別部の配置に対応する輸液の流量の範囲を抽出する流量抽出部と、
前記流量抽出部により抽出された流量の範囲と、前記流量抽出部により抽出された流量の範囲において前記輸液チューブを流通する輸液の流量とを表示する表示部と、
前記カセットにより供給される輸液の流量の設定値が入力される操作部と、を備え、
前記カセットにより供給される輸液の流量が、前記操作部により入力された設定値に従って制御される輸液装置。
【請求項２】
前記識別部は、前記ハウジングの裏面から突出する突起により構成される請求項１記載の輸液装置。
【発明の詳細な説明】
【技術分野】
【０００１】
本発明は、輸液装置に関する。
【背景技術】
【０００２】
従来、医療現場において、患者や送液ラインに対し、所定の速度及びタイミングで薬液や血液等を送液する目的で、輸液用のチューブを装着し、ポンプによって送液を行う輸液装置が利用されている。輸液装置に用いられるポンプとしては、ペリスタルティック（蠕動運動）式ポンプが広く用いられている。ペリスタルティック式ポンプとしては、例えば、ローラ式のポンプが知られている。
【０００３】
ローラ式のポンプを用いた輸液装置は、ハウジングと、このハウジング内に配置される、ロータと、ロータによって押圧される輸液チューブと、を備える。このような輸液装置においては、モータによってロータを回転させ、そのロータによって輸液チューブをしごくことで液体を送液する。
【０００４】
なお、輸液装置として、いわゆるカセット式の輸液装置が知られている（例えば、特許文献１参照）。カセット式の輸液装置は、ロータ及び輸液チューブを収納したカセットを、装置本体に着脱可能であり、携帯性やメンテナンス性に優れる。
【先行技術文献】
【特許文献】
【０００５】
【特許文献１】特開２０１４−２２４５１４号公報
【発明の概要】
【発明が解決しようとする課題】
【０００６】
ところで、従来のカセット式を含むローラ型の輸液装置では、モータによってロータの回転数を低く維持するのが難しいことから、輸液の流量を低くする場合、ロータの回転と停止を繰り返す間欠運転を行っていた。しかし、例えば輸液装置を用いて患者に対して薬液を投与しようとした場合、間欠運転では輸液中における薬液の濃度が一定にならず、血中における薬の濃度が意図した以上に高くなることがあった。
【０００７】
本発明は、間欠運転を行うことなく輸液を低流量にすることが可能であり、その流量を容易に確認できる、カセット式の輸液装置を提供することを目的とする。
【課題を解決するための手段】
【０００８】
本発明は、カセットと、前記カセットを着脱可能な装置本体と、を備える輸液装置であって、前記カセットは、ハウジングと、前記ハウジングに収容され、回動可能なロータと、一部が前記ロータの外周に配置され、前記ロータにより押圧される輸液チューブと、前記ハウジングに配置され、前記輸液チューブの内径を識別するための識別部と、を備え、前記装置本体は、前記カセットが装着された場合に、前記識別部の配置を検出する検出部と、前記識別部の配置と該識別部の配置を有するカセットにより供給可能な輸液の流量の範囲とを対応付けて記憶する記憶部と、前記検出部により検出された識別部の配置に基いて、前記記憶部から該識別部の配置に対応する輸液の流量の範囲を抽出する流量抽出部と、前記流量抽出部により抽出された流量の範囲において輸液の流量を表示する表示部と、を備える輸液装置に関する。
【０００９】
前記識別部は、前記ハウジングの裏面から突出する突起であることが好ましい。
【発明の効果】
【００１０】
本発明によれば、間欠運転を行うことなく輸液を低流量にすることが可能であり、その流量を容易に確認できる、カセット式の輸液装置を提供できる。
【図面の簡単な説明】
【００１１】
【図１】本発明の一実施形態に係る輸液装置を示す正面図である。
【図２】上記実施形態に係る輸液装置の備えるカセットを示す正面図である。
【図３Ａ】上記実施形態に係る輸液装置の備えるカセットを示す背面図である。
【図３Ｂ】上記実施形態に係る輸液装置の備えるカセットを示す側面図である。
【図４Ａ】上記実施形態に係る輸液装置の備えるカセットを示す背面図である。
【図４Ｂ】上記実施形態に係る輸液装置の備えるカセットを示す側面図である。
【図５】上記実施形態に係る輸液装置の備える装置本体を示す正面図である。
【図６】上記実施形態における装置本体の備える制御部の機能ブロック図である。
【発明を実施するための形態】
【００１２】
以下、本発明の実施形態について図面を参照しながら説明する。図１は、本実施形態に係る輸液装置１を示す正面図である。図１に示すように、輸液装置１は、カセット２Ａと、カセット２Ａを着脱可能な装置本体３と、を備える、いわゆるカセット式の輸液装置である。
【００１３】
図２は、カセット２Ａを示す正面図である。また、図３Ａは、カセット２Ａの背面図であり、図３Ｂは、カセット２Ａの側面図である。カセット２Ａは、例えば、高カロリー輸液を行う際に用いられる。高カロリー輸液においては、患者に対して輸液を多く供給することが求められる。
カセット２Ａは、ハウジング２１Ａと、ロータ２２Ａと、輸液チューブ２３Ａと、識別部としての突起２４Ａと、を備える。
【００１４】
ハウジング２１Ａは、平面視において長円状に形成される。ハウジング２１Ａの背面には、図３Ａ及び図３Ｂに示すように、孔２１１Ａ及び爪状の係合部２１２Ａ，２１３Ａ，２１４Ａが形成される。
ロータ２２Ａは、ハウジング２１Ａに収容される。ロータ２２Ａは、円盤状に形成される図示しないベース部材と、等間隔を空けてベース部材に軸支され、個別に回動可能な３つのローラ部材２２１Ａ，２２２Ａ，２２３Ａと、を有する。ロータ２２Ａは、ベース部材が回動することによって回動する。
【００１５】
輸液チューブ２３Ａは、例えばシリコン製のチューブであり、液体が充填された点滴バックに上流側が接続され、患者に下流側が接続される。輸液チューブ２３Ａの内径は、例えば、２．５ｍｍである。輸液チューブ２３Ａは、一部がロータ２２Ａの外周に配置されて、ハウジング２１Ａの内部で折り返される。詳しくは、輸液チューブ２３Ａは、３つのローラ部材２２１Ａ，２２２Ａ，２２３Ａを囲うように配置される。輸液チューブ２３Ａは、ロータ２２Ａにより押圧される。詳しくは、輸液チューブ２３Ａは、ローラ部材２２１Ａ，２２２Ａ，２２３Ａによって押圧されることで径方向に潰される。輸液チューブ２３Ａは、回動するローラ部材２２１Ａ，２２２Ａ，２２３Ａによってしごかれることで、その内部の液体（血液、薬液等）を送液する。
【００１６】
突起２４Ａは、図３Ａ及び図３Ｂに示すように、ハウジング２１Ａの背面に配置される。突起２４Ａは、輸液チューブ２３Ａの内径を識別するための突起である。突起２４Ａは、図３Ａに示すように、ハウジング２１Ａの背面における輸液チューブ２３Ａの折り返された側の端部近傍から突出する。
続いて、輸液チューブの内径と、突起の配置の関係を説明する。
【００１７】
図４Ａ及び図４Ｂは、カセット２Ａに代えて装置本体３に着脱可能なカセット２Ｂを示す図である。具体的には、図４Ａは、カセット２Ｂの背面図であり、図４Ｂは、カセット２Ｂの側面図である。カセット２Ｂは、例えば、疼痛管理のための輸液に用いられる。疼痛管理のための輸液においては、患者に対して鎮痛剤等を含む輸液を少量ずつ継続して供給することが求められる。カセット２Ｂについては、カセット２Ａと同じ構成については同様の符号を付して説明を省略し、カセット２Ａと異なる構成について説明する。
【００１８】
カセット２Ｂの備える輸液チューブ２３Ｂの内径は、輸液チューブ２３Ａの内径よりも小さい。輸液チューブ２３Ｂの内径は、例えば、０．５ｍｍである。つまり、カセット２Ｂを用いることで、カセット２Ａを用いる場合よりも輸液の流量を少なくできる。
【００１９】
カセット２Ｂの備える識別部としての突起２４Ｂは、図４Ａに示すように、ハウジング２１Ｂの裏面の中央部近傍から突出する。このように、突起２４Ｂは、突起２４Ａとは異なる位置から突出している。
【００２０】
図５は、装置本体３を示す正面図である。装置本体３は、ケース３６と、ロータ駆動部としてのモータ３１と、検出部３２と、表示部３３と、操作部３７と、図５においては図示しない制御部３４と、を備える。
ケース３６は、直方体状に形成され、装置本体３の外形を構成する。ケース３６の長手方向の一端側には、カセット２Ａ，２Ｂが装着される。
【００２１】
モータ３１は、ケース３６の内部に収納されるモータ本体３１１と、カセット２Ａ（カセット２Ｂ）が装置本体３に装着された状態で孔２１１Ａ（孔２１１Ｂ）に挿入されるモータ軸３１２と、を有する。モータ３１は、カセット２Ａ（カセット２Ｂ）が装着された状態で、モータ軸３１２を介して駆動力をロータ２２Ａ（ロータ２２Ｂ）に伝達し、ロータ２２Ａ（ロータ２２Ｂ）を回転させる（ロータ２２Ｂは図示せず）。
【００２２】
検出部３２は、カセット２Ａ又はカセット２Ｂが装着された場合に、突起２４Ａ又は突起２４Ｂの配置を検出する。本実施形態では、ケース３６におけるカセット２Ａ，２Ｂが取り付けられる位置には、複数の突起２４Ａを挿入可能な孔３２１，３２２が形成されている。より具体的には、ケース３６には、カセット２Ａ，２Ｂの突起２４Ａ，２４Ｂに対応する位置に突起２４Ａ，２４Ｂがそれぞれ挿入可能な孔３２１，３２２が形成される。検出部は、例えば、ケース３６の内部における孔３２１，３２２に対応する位置に配置された図示しない圧力センサにより構成され、突起２４Ａ，２４Ｂがそれぞれ孔３２１，３２２に挿入されたことを検出する。
【００２３】
表示部３３は、装置本体３の正面側に配置される。表示部３３は、輸液チューブ２３Ａ又は輸液チューブ２３Ｂを流通する液体の流量等の情報を表示する。具体的には、表示部３３は、後述する流量抽出部３４１により抽出された流量の範囲において輸液の流量を表示する。
なお、装置本体３には、カセット２Ａ（カセット２Ｂ）が装置本体３に装着された状態で係合部２１２Ａ，２１３Ａ，２１４Ａ（係合部２１２Ｂ，２１３Ｂ，２１４Ｂ）がそれぞれ係合する孔状の被係合部３５１，３５２，３５３が形成される。
操作部３７は、装置本体３の電源のＯＮ／ＯＦＦや、モータ３１のＯＮ／ＯＦＦや、カセット２Ａ，２Ｂによって供給する輸液の流量を入力するボタン等を含む。
【００２４】
図６は、装置本体３の備える制御部３４の機能ブロック図である。図６に示すように、制御部３４は、記憶部３４３と、流量抽出部３４１と、を備える。
記憶部３４３は、識別部としての突起２４Ａの配置と該突起２４Ａの配置を有するカセット２Ａにより供給可能な輸液の流量の範囲（例えば、４０〜８０ｍＬ／ｈ）とを対応付けて記憶する。また、記憶部３４３は、突起２４Ｂの配置と該突起２４Ｂの配置を有するカセット２Ｂにより供給可能な輸液の流量の範囲（例えば、１〜５ｍＬ／ｈ）とを対応付けて記憶する。突起２４Ａの配置と該突起２４Ａの配置を有するカセット２Ａにより供給可能な輸液の流量の範囲（流量の上限及び下限）とは、以下のように対応付けられる。突起２４Ａを備えるカセット２Ａにより供給される輸液の流量は、カセット２Ａの備える輸液チューブ２３Ａの内径とモータ３１の出力により決定される。従って、カセット２Ａによって供給可能な輸液の流量の下限は、モータ３１の出力が下限の場合に輸液チューブ２３Ａを流通する輸液の流量である。一方、カセット２Ａによって供給可能な輸液の流量の上限は、モータ３１の出力が上限の場合に輸液チューブ２３Ａを流通する輸液の流量である。突起２４Ｂの配置とカセット２Ｂにより供給可能な輸液の流量の範囲も、突起２４Ａの配置とカセット２Ａにより供給可能な輸液の流量の範囲と同様に対応付けることができる。
【００２５】
流量抽出部３４１は、検出部３２により検出された突起２４Ａ又は突起２４Ｂの配置に基いて、装着されたカセット２Ａ又はカセット２Ｂの輸液の流量の範囲を記憶部３４３から抽出する。つまり、検出部３２によって突起２４Ａの配置が検出された場合、カセット２Ａによって供給可能な輸液の流量の範囲を記憶部３４３から抽出する。一方、検出部３２によって突起２４Ｂの配置が検出された場合、カセット２Ｂによって供給可能な輸液の流量の範囲を記憶部３４３から抽出する。
【００２６】
続いて、輸液装置１の動作について説明する。
まずは、操作部３７が操作されることで、装置本体３の電源がＯＮになる。そして、カセット２Ａが装置本体３に装着される。カセット２Ａが装置本体３に装着されることで、突起２４Ａが孔３２１に挿入される。
【００２７】
続いて、検出部３２が突起２４Ａの配置を検出する。そして、流量抽出部３４１が、検出部３２により検出された突起２４Ａの配置に基いて、装着されたカセット２Ａの輸液の流量の範囲を記憶部３４３から抽出する。流量抽出部３４１によって抽出されたカセット２Ａによって供給可能な輸液の流量の範囲は、表示部３３に表示される。
【００２８】
続いて、操作部３７が操作されることで、流量抽出部３４１によって抽出されたカセット２Ａによって供給可能な輸液の流量の範囲内において、カセット２Ａによって供給される輸液の流量が入力される。カセット２Ａによって供給される輸液の流量は、表示部３３に表示される。そして、操作部３７が操作されることで、モータ３１がＯＮになり、例えば患者に、所定の流量で輸液が供給される。
【００２９】
輸液装置１は、カセット２Ｂを装置本体３に装着する場合も、カセット２Ａを装着する場合と同様に動作する。
カセット２Ｂを装置本体３に装着した場合、検出部３２は孔３２２に挿入された突起２４Ｂの配置を検出する。そして、流量抽出部３４１が、検出部３２により検出された突起２４Ｂの配置に基いて、装着されたカセット２Ｂの輸液の流量の範囲を記憶部３４３から抽出する。流量抽出部３４１によって抽出されたカセット２Ｂによって供給可能な輸液の流量の範囲は、表示部３３に表示される。
【００３０】
続いて、操作部３７が操作されることで、流量抽出部３４１によって抽出されたカセット２Ｂによって供給可能な輸液の流量の範囲内において、カセット２Ｂによって供給される輸液の流量が入力される。カセット２Ｂによって供給される輸液の流量は、表示部３３に表示される。そして、操作部３７が操作されることで、モータ３１がＯＮになり、例えば患者に、所定の流量で輸液が供給される。
【００３１】
上記実施形態に係る輸液装置１によれば、以下の効果が奏される。
上記実施形態では、カセット式の輸液装置１において、カセット２Ａ，２Ｂがそれぞれ、ハウジング２１Ａ，２１Ｂに配置され、輸液チューブ２３Ａ，２３Ｂの内径を識別するための識別部としての突起２４Ａ，２４Ｂを備え、装置本体３が、突起２４Ａ，２４Ｂの配置を検出する検出部３２と、突起２４Ａ，２４Ｂの配置と該突起２４Ａ，２４Ｂの配置を有するカセット２Ａ，２Ｂにより供給可能な輸液の流量の範囲とを対応付けて記憶する記憶部３４３と、検出部３２により検出された突起２４Ａ，２４Ｂの配置に基いて、記憶部３４３からカセット２Ａ，２Ｂの配置に対応する輸液の流量の範囲を抽出する流量抽出部３４１と、流量抽出部３４１により抽出された流量の範囲において輸液の流量を表示する表示部３３と、を備えるものとした。
これにより、輸液チューブ２３Ａを備えるカセット２Ａと共に、輸液チューブ２３Ａの内径よりも小さい内径の輸液チューブ２３Ｂを備えるカセット２Ｂを用いることで、間欠運転を行うことなく輸液を低流量にすることが可能になる。更に、装置本体３の備える検出部３２がカセット２Ａ及びカセット２Ｂのどちらが装置本体３に装着されているか識別した上で、流量抽出部３４１が供給可能な輸液の流量の範囲を記憶部３４３から抽出し、その輸液の流量の範囲において輸液の流量を表示部３３に表示するので、上記実施形態に係る輸液装置１によれば、輸液チューブの内径の異なる複数のカセットを用いていることができるにも関わらず、容易に輸液の流量の確認ができる。
【００３２】
また、上記実施形態では、ハウジング２１Ａ，２１Ｂの裏面から突出する突起２４Ａ，２４Ｂを、輸液チューブ２３Ａ，２３Ｂの内径を識別するための識別部とした。
これにより、例えば、検出部３２を圧力センサによって構成することで、容易に突起２４Ａ又は突起２４Ｂを検出できる。
【００３３】
なお、本発明は上記実施形態に限定されるものではなく、本発明の目的を達成できる範囲での変形、改良等は本発明に含まれる。
上記実施形態においては、カセットの備える識別部として突起を配置したが、識別部の形状は突起に限定されない。
【００３４】
また、上記実施形態においては、カセット２Ａ，２Ｂに識別部としてそれぞれ１つの突起を配置したが、本発明はこれに限定されない。本発明では、カセットに識別部として複数の突起を配置して、複数の突起の配置の組み合わせに基いて、供給可能な輸液の流量の範囲を決定してもよい。
【符号の説明】
【００３５】
１  輸液装置
２Ａ，２Ｂ  カセット
２１Ａ，２１Ｂ  ハウジング
２２Ａ，２２Ｂ  ロータ
２３Ａ，２３Ｂ  輸液チューブ
２４Ａ，２４Ｂ  突起（識別部）
３  装置本体
３２  検出部
３３  表示部
３４１  流量抽出部
３４３  記憶部
【図１】
0006661938.tif 000002
【図２】
0006661938.tif 000003
【図３Ａ】
0006661938.tif 000004
【図３Ｂ】
0006661938.tif 000005
【図４Ａ】
0006661938.tif 000006
【図４Ｂ】
0006661938.tif 000007
【図５】
0006661938.tif 000008
【図６】
0006661938.tif 000009